(57)【要約】      （修正有）【課題】本に装着しやすく、且つ、本と布製ブックカバーがずれることがなく、様々な厚さの本に対応できる、布製ブックカバーを提供する。【解決手段】右端が封止、下端が縫製封止、上端及び本の背表紙側が開口するとともに第一隙間４ａを有し、前記第一隙間に前記本の表紙１４ｄが挟まれる布製の第一包部４と、左端が封止、下端が縫製封止、上端及び前記本の背表紙側が開口するとともに第二隙間５ａを有し、前記第二隙間に前記本の裏表紙１４ｅが挟まれる布製の第二包部５と、前記第一包部及び前記第二包部に連接し前記本の背表紙が当接する布製の接続部とからなり、前記第二包部の前記本の裏表紙を挟まない残部は、前記本の背表紙及び本文の間に折り返される折畳部５ｂとなることを特徴とする布製ブックカバー１、の構成とした。【選択図】図２
0003233829.tif 000002
【実用新案登録請求の範囲】
【請求項１】
右端が封止、下端が縫製封止、上端及び本の背表紙側が開口するとともに第一隙間を有し、前記第一隙間に前記本の表紙が挟まれる布製の第一包部と、
左端が封止、下端が縫製封止、上端及び前記本の背表紙側が開口するとともに第二隙間を有し、前記第二隙間に前記本の裏表紙が挟まれる布製の第二包部と、
前記第一包部及び前記第二包部に連接し前記本の背表紙が当接する布製の接続部とからなり、
前記第二包部の前記本の裏表紙を挟まない残部は、前記本の背表紙及び本文の間に折り返される折畳部となることを特徴とする布製ブックカバー。
【請求項２】
請求項１に記載の布製ブックカバーの内側に、接着芯が貼付されていることを特徴とする布製ブックカバー。
【請求項３】
前記接着芯は、前記下端縫製部を覆うことを特徴とする請求項２に記載の布製ブックカバー。
【考案の詳細な説明】
【技術分野】
【０００１】
本考案は、布製ブックカバーに関する。
【背景技術】
【０００２】
従来の布製ブックカバーは、非特許文献１に示すように、本の外側を覆い、本の表紙と裏表紙を、左右端が封止されるとともに、上下端が縫製されて形成される左右の隙間に、それぞれ差し込んで使用する。従来の布製ブックカバーでは、差し込むため装着しにくく、本の厚さに一致しないとフィット感がなく、さらに本と布製ブックカバーがずれてしまい、ブックカバーが外れることもあり、鞄の中に入れていると本を損傷してしまう恐れがあった。本の多様な厚さへ適用できず、汎用性がない。
【０００３】
また、別の従来の布製ブックカバーは、非特許文献２に示すように、本の背表紙に対応する部分の内側には、本の天地方向にバンドが渡されており、背表紙側を折り畳む方式で、本の多様な厚さに追随してフィットする。しかし、下端が開放状態であるので、使用時には上下方向に本がずれ、また、背表紙と布製ブックカバーとの間に隙間ができ、カバー装着の安定感に欠ける。
【先行技術文献】
【非特許文献】
【０００４】
【非特許文献１】https://www.youtube.com/watch?v=3AihWiCQVq8&t=37s
【非特許文献２】http://pro.bookoffonline.co.jp/book-enjoy/reading-goods/20161021-nuno-bookcover.html
【考案の概要】
【考案が解決しようとする課題】
【０００５】
そこで、本考案は、本に装着しやすく、且つ、本と布製ブックカバーがずれることがなく、様々な厚さの本に対応できる、布製ブックカバーを提供することを目的とする。
【課題を解決するための手段】
【０００６】
本考案は、上記の課題を解決するために、
（１）
右端が封止、下端が縫製封止、上端及び本の背表紙側が開口するとともに第一隙間を有し、前記第一隙間に前記本の表紙が挟まれる布製の第一包部と、
左端が封止、下端が縫製封止、上端及び前記本の背表紙側が開口するとともに第二隙間を有し、前記第二隙間に前記本の裏表紙が挟まれる布製の第二包部と、
前記第一包部及び前記第二包部に連接し前記本の背表紙が当接する布製の接続部とからなり、
前記第二包部の前記本の裏表紙を挟まない残部は、前記本の背表紙及び本文の間に折り返される折畳部となることを特徴とする布製ブックカバー。
（２）
（１）に記載の布製ブックカバーの内側に、接着芯が貼付されていることを特徴とする布製ブックカバー。
（３）
前記接着芯は、前記下端縫製部を覆うことを特徴とする（２）に記載の布製ブックカバー。
とした。
【考案の効果】
【０００７】
第一に、本考案は、本の表紙、裏表紙をそれぞれ包む形状（第一包部、第二包部）を有する事で本を装着しやすく、折畳部を備えることで、本と布製ブックカバーがずれることなく装着でき、布製ブックカバーを装着した状態で本を鞄に入れて持ち運んでも、布製ブックカバーが本から外れる事を防げる。さらに、把持することで読書中も本がブックカバーに固定されずれることがない。しかも、一つの布製ブックカバーで広範囲の本の厚さに対応でき汎用性が高い。
【０００８】
第二に、本考案の型紙の作成方式であれば、様々なサイズの本に対応出来るとともに、多種多様な生地によるデザイン性を追求した布製ブックカバーを作成することが出来る。
【図面の簡単な説明】
【０００９】
【図１】本考案である布製ブックカバーの第一の実施形態と、それに装着する本の斜視模式図である。
【図２】本考案の布製ブックカバーの第一の実施形態に本を装着したときの状態を示す斜視模式図である。
【図３】本考案の布製ブックカバーの第一の実施形の外側模式図（Ａ）と、内側模式図（Ｂ）である。
【図４】本考案の布製ブックカバーの第一の実施形の縫製の説明図である。図４（Ａ）が外側を内にして縫製したときの状態、（Ｂ）は（Ａ）の状態から内外を裏返して使用時の内側１０、外側９の位置状態にしたときの模式図である。
【図５】本考案の布製ブックカバーの型紙の説明である。図５（Ａ）は本の寸法、（Ｂ）は本の寸法から算出した、本考案の布製ブックカバーの寸法の型紙の説明図である。
【図６】本考案である布製ブックカバーの第二の実施形態の本体の布の型紙（Ａ）と、裁断された布（Ｂ）の平面模式図である。
【図７】布に貼付される接着芯の型紙（Ａ）と、裁断された接着芯（Ｂ）の平面模式図である。
【図８】布に接着芯を重ねた状態の平面模式図である。
【図９】接続部下端部の処理の説明図で、図９（Ａ）が折り方、（Ｂ）が仕上がり状態を表している。
【図１０】栞の説明図である。
【図１１】布下部（接続部を除く）の処理の説明図であり、図１１（Ａ）が下端部の縫製、（Ｂ）が縫代の処理、（Ｃ）が接着芯による縫代のマスク方法を示している。
【図１２】縫製仕上がり、使用できる状態の布製ブックカバーの斜視模式図である。
【考案を実施するための形態】
【００１０】
以下、添付の図面を参照し、本考案の実施の形態の一例について詳細に説明する。なお、本考案は下記実施例に限定されるものではない。
【実施例１】
【００１１】
図１−４に示すように、本考案の布製ブックカバー１は、布を縫製してなり、接続部３、第一包部４及び第二包部５から構成される本体２と、読書の際の利便性を考慮し本体２に取り付けた紐６ａである栞６とかなる。
【００１２】
第一包部４は、右端２ｄが封止、下端２ｂが縫製封止、上端２ａ及び本１４の背表紙１４ｃ側が開口するとともに第一隙間４ａを有し、第一隙間４ａに本１４の表紙１４ｄが挟まれる。
【００１３】
第二包部５は、左端２ｃが封止、下端２ｂが縫製封止、上端２ａ及び本１４の背表紙１４ｃ側が開口するとともに第二隙間５ａを有し、第二隙間５ａに本１４の裏表紙１４ｅが挟まれる。
【００１４】
接続部３は、第一包部４及び第二包部５に連接し、本１４の背表紙１４ｃが当接する。ここの幅があることで、様々な厚さの本に対応できる。下端部には縫目１２位置で縫われて固定された折返部１１がある。
【００１５】
このようになる布製ブックカバー１は、第二包部５の本１４の裏表紙１４ｅを挟まない残部が、本１４の背表紙１４ｃ及び本文１４ｉの間に折り返される折畳部５ｂとなる。これにより、本全体を包み、表紙及び裏表紙を挟み、異なる厚さの本でもフィットし、さらに、手による把持で、本とブックカバーが固定され、ずれることがない。
【実施例２】
【００１６】
図５（Ｂ）に示すように、本考案の型紙１３は、布製ブックカバーの接続部３に対応する接続相当部１３ｂと、接続相当部１３ｂに連設する第一包部４に対応する第一包相当部１３ｄと、接続相当部１３ｂの他端に連設する第二包部５に対応する第二包相当部１３ｇとからなる。
【００１７】
型紙１３の接続相当部１３ｂの幅１３ｃは８ｃｍ（文庫本の場合）、高さ１３ａは本１４の高さ１４ａ＋１ｃｍ、第一包相当部１３ｄの幅１３ｅは２×（本１４の奥行き１４ｂ×０．８）、第二包相当部１３ｇの幅１３ｈは２×（本１４の奥行き１４ｂ×１．５）とするとよい。点線で表された折部１３ｆ、１３ｉは、第一、第二包部４、５を形成するために折曲げる位置を示している。
【実施例３】
【００１８】
次に、第二の実施形態の布製ブックカバー２１について説明する。
図１２に示すように、布製ブックカバー２１は、実施例１の布製ブックカバー１の内側に、接着芯２４を備えるものである。
【００１９】
すなわち、布２２を縫製してなり、接続部２９、第一包部２７及び第二包部２８から構成される本体と、本体内側に貼付された接着芯２４と、読書の際の利便性を考慮し本体に取り付けた栞６とかなる。
【００２０】
栞６は、図１０に示すように、本体に取り付けられる紐６ａと、紐６ａの先端部に結いつけられた根付け６ｂと、根付け６ｂの上下に配置されたビーズ６ｃとかなる。根付け６ｂ、ビーズ６ｃは、デザイン性向上を目的として備えられる。
【００２１】
第一包部２７は、内側に接着芯２４が貼付されたうえで、右端２２ｄが封止、下端２２ｂが縫製封止、上端２２ａ及び本１４の背表紙１４ｃ側が開口するとともに第一隙間２７ａを有し、第一隙間２７ａに本１４の表紙１４ｄが挟まれる。
【００２２】
第二包部２８は、内側に接着芯２４が貼付されたうえで、左端２２ｃが封止、下端２２ｂが縫製封止、上端２２ａ及び本１４の背表紙１４ｃ側が開口するとともに第二隙間２８ａを有し、第二隙間２８７ａに本１４の裏表紙１４ｅが挟まれる。
【００２３】
接続部３は、内側に接着芯２４が貼付されたうえで、第一包部４及び第二包部５に連接し、本１４の背表紙１４ｃが当接する。ここの幅があることで、様々な厚さの本に対応できる。
【００２４】
このようになる布製ブックカバー２１は、第二包部２８の本１４の裏表紙１４ｅを挟まない残部が、本１４の背表紙１４ｃ及び本文１４ｉの間に折り返される折畳部２８ｂとなる。これにより、本全体を包み、表紙及び裏表紙を挟み、異なる厚さの本でもフィットし、さらに、手による把持で、本とブックカバーが固定され、ずれることがない。接着芯２４を備えることで、滑り留めになるとともに、布２２の劣化を遅らせる。
【００２５】
次に、以下の手順の布製ブックカバー２１の縫製について説明する。
Ａ．布の裁断
Ｂ．接着芯の裁断
Ｃ．布と接着芯の接着
Ｄ．接続部下端部の処理
Ｅ．布の左右端部の処理
Ｆ．布上部（接続部を除く）の処理と栞
Ｇ．布下部（接続部を除く）の処理
Ｈ．仕上げ
【００２６】
Ａ．布の裁断
図６に布製ブックカバー２１の本体の布２２の型紙２３（Ａ）及び裁断された布２２（Ｂ）を示す。型紙２３には布２２の裁断、縫製などの目印２２ｆに相当する記号２３ａ（●など）、栞取付位置記号２３ｂが記載されている。
【００２７】
布２２に型紙２３を載せ、型紙２３の記号２３ａ、栞取付位置記号２３ｂを転記する。そして、布２２は、型紙２３より、４辺ともに、縫代２２ｅとして約１．５ｃｍ広く裁断する。なお、図６（Ｂ）の点線は型紙２３の大きさ相当する位置を示している。
【００２８】
Ｂ．接着芯の裁断
図７に布２２の内側に補強、滑り留めとして貼付される接着芯２４の型紙２５（Ａ）及び裁断された接着芯２４（Ｂ）を示す。型紙２５には接着芯２４の裁断、縫製などの目印２４ｃに相当する記号２５ｃ（●など）が記載されている。接着芯２４の接着面でない面に型紙２５を置いて、記号２５ｃを転記する。そして、接着芯２４は型紙２５と同じで形状で裁断する。接着芯２４に縫代はなくてよい。
【００２９】
型紙２５には、第一舌部２５ａ、第二舌部２５ｂがあり、接着芯２４の第一舌部２４ａ、第二舌部２４ｂを形成し、それらは布製ブックカバー２１の下端２２ｂの内側の縫製段差の解消と、それにより本１４の第一包部２７、第二包部２８への差し込み時の引っかかりをなくし、本１４の劣化を防止する。
【００３０】
Ｃ．布と接着芯の接着
図８に示すように、布２２の上に接着芯２４を、それぞれ対応する目印２２ｆ、２４ｃを一位させて載せ、アイロンで接着芯２４を布２２に接着させる。ただし、第一舌部２４ａ、第二舌部２４ｂ部分のまだ接着させない。なお、接着芯２４は、アイロンで布に接着できるものであり、その名で手芸分野において周知、慣用されている。
【００３１】
Ｄ．接続部下端部の処理
図９（Ａ）に示すように、接続部２９になる布２２の下側の縫代２２ｅを、第一舌部２４ａ、第二舌部２４ｂに沿って切込２２ｇを入れる。その後、分断された縫代２２ｅの左右の角２２ｈを内側に折り、さらに下端部２２ｉを内側に折り込む。そのうえで、折目２２ｋ位置で折り込む。
【００３２】
次いで、図９（Ｂ）に示す縫目２２ｍになるように縫う。その結果、接続部２９になる布２２の下側に、分断された縫代２２ｅで折部２２ｎを形成することができる。折部２２ｎを備えることでと、縫製しやすく、布２２の端のほつれがなく、さらに耐摩擦性能が向上し、使用に伴う経年劣化を遅らせる。
【００３３】
Ｅ．布の左右端部の処理
布２２の左右端部の縫代２２ｅを三つ折りにして縫い、ほつれないように処理する。
【００３４】
Ｆ．布上部（接続部を除く）の処理と栞
布２２の上部の縫代２２ｅを三つ折りにし、さらに栞紐取付位置の目印２２ｆに、栞６の紐６ａの端を挟み込んだうえで縫う。図１０に例示のように、紐６ａの端には結び目６ｄを設け、結び目６ｄを縫うと紐６ａが抜けない。
【００３５】
Ｇ．布下部（接続部を除く）の処理
図１１（Ａ）に示すように、接着芯２４を外側に位置させ、目印２２ｆ、２４ｃを参照して、第一包部２７、第二包部２８を形成する位置に折り、縫目２６を形成するように縫代２２ｅを残し、布２２及び接着芯２４の下端部を縫う。
【００３６】
次いで、図１１（Ｂ）に示すように、縫代２２ｅの左右の角２２ｐ、２２ｑを内側に折る。そのうえで、接着芯２４の第一舌部２４ａ、第二舌部２４ｂを接着芯２４側に折り返して縫代２２ｅを覆い、アイロンで布２２に熱融着させ、図１１（Ｃ）の状態にする。
【００３７】
Ｈ．仕上げ
図１１（Ｃ）の状態になったら、内外を反転させることで、図１２に示す布製ブックカバー２１が完成する。
【００３８】
このように、下端を始末することで、本１４の表紙１４ｄと裏表紙１４ｅを布製ブックカバー２１に差し込むときに、縫代２２ｅで引っかかることなくスムーズに差し込むことが出来る。
【符号の説明】
【００３９】
１      布製ブックカバー
２      本体
２ａ    上端
２ｂ    下端
２ｃ    左端
２ｄ    右端
３      接続部
４      第一包部
４ａ    第一隙間
５      第二包部
５ａ    第二隙間
５ｂ    折畳部
６      栞
６ａ    紐
６ｂ    根付け
６ｃ    ビーズ
６ｄ    結び目
９      外側
１０    内側
１１    折返部
１２    縫目
１３    型紙
１３ａ  高さ
１３ｂ  接続相当部
１３ｃ  幅
１３ｄ  第一包相当部
１３ｅ  幅
１３ｆ  折部
１３ｇ  第二包相当部
１３ｈ  幅
１３ｉ  折部
１４    本
１４ａ  高さ
１４ｂ  奥行き
１４ｃ  背表紙
１４ｄ  表紙
１４ｅ  裏表紙
１４ｆ  小口
１４ｇ  天
１４ｈ  地
１４ｉ  本文
２１    布製ブックカバー
２２    布
２２ａ  上端
２２ｂ  下端
２２ｃ  左端
２２ｄ  右端
２２ｅ  縫代
２２ｆ  目印
２２ｇ  切込
２２ｈ  角
２２ｉ  下端部
２２ｋ  折目
２２ｍ  縫目
２２ｎ  折部
２２ｐ  角
２２ｑ  角
２３    型紙
２３ａ  記号
２３ｂ  栞取付位置記号
２４    接着芯
２４ａ  第一舌部
２４ｂ  第二舌部
２４ｃ  目印
２５    型紙
２５ａ  第一舌部
２５ｂ  第二舌部
２５ｃ  記号
２６    縫目
２７    第一包部
２７ａ  第一隙間
２８    第二包部
２８ａ  第二隙間
２８ｂ  折畳部
２９    接続部
【図１】
0003233829.tif 000003
【図２】
0003233829.tif 000004
【図３】
0003233829.tif 000005
【図４】
0003233829.tif 000006
【図５】
0003233829.tif 000007
【図６】
0003233829.tif 000008
【図７】
0003233829.tif 000009
【図８】
0003233829.tif 000010
【図９】
0003233829.tif 000011
【図１０】
0003233829.tif 000012
【図１１】
0003233829.tif 000013
【図１２】
0003233829.tif 000014
【手続補正書】
【提出日】令和3年7月12日(2021.7.12)
【手続補正１】
【補正対象書類名】実用新案登録請求の範囲
【補正対象項目名】全文
【補正方法】変更
【補正の内容】
【実用新案登録請求の範囲】
【請求項１】
右端が封止、下端が縫製封止、上端及び本の背表紙側が開口するとともに第一隙間を有し、前記第一隙間に前記本の表紙が挟まれる布製の第一包部と、
左端が封止、下端が縫製封止、上端及び前記本の背表紙側が開口するとともに第二隙間を有し、前記第二隙間に前記本の裏表紙が挟まれる布製の第二包部と、
前記第一包部及び前記第二包部に連接し前記本の背表紙が当接する布製の接続部とからなり、
前記第二包部の前記本の裏表紙を挟まない残部は、前記本の背表紙及び本文の間に折り返される折畳部となることを特徴とする布製ブックカバー。
【請求項２】
請求項１に記載の布製ブックカバーの内側に、接着芯が貼付されていることを特徴とする布製ブックカバー。
【請求項３】
前記接着芯は、前記第一包部及び前記第二包部の下端の縫製封止時の縫代を覆うことを特徴とする請求項２に記載の布製ブックカバー。
【手続補正２】
【補正対象書類名】明細書
【補正対象項目名】０００６
【補正方法】変更
【補正の内容】
【０００６】
本考案は、上記の課題を解決するために、
（１）
右端が封止、下端が縫製封止、上端及び本の背表紙側が開口するとともに第一隙間を有し、前記第一隙間に前記本の表紙が挟まれる布製の第一包部と、
左端が封止、下端が縫製封止、上端及び前記本の背表紙側が開口するとともに第二隙間を有し、前記第二隙間に前記本の裏表紙が挟まれる布製の第二包部と、
前記第一包部及び前記第二包部に連接し前記本の背表紙が当接する布製の接続部とからなり、
前記第二包部の前記本の裏表紙を挟まない残部は、前記本の背表紙及び本文の間に折り返される折畳部となることを特徴とする布製ブックカバー。
（２）
（１）に記載の布製ブックカバーの内側に、接着芯が貼付されていることを特徴とする布製ブックカバー。
（３）
前記接着芯は、前記第一包部及び前記第二包部の下端の縫製封止時の縫代を覆うことを特徴とする（２）に記載の布製ブックカバー。
とした。